(57)【要約】      （修正有）【課題】梯子を装着対象部位に装着した状態での掛止板の回動を規制する手段を提供する。【解決手段】梯子１は、掛止板２を掛止位置に保持した状態で、マンホール内に挿入するとともに、掛止板２をマンホールの開口縁に引っ掛けることによって、マンホール内に装着される。このとき、梯子１の重量とスプリングＳの付勢力とが凹部３１と横杆３２との嵌合力として作用するので、梯子１の使用中において掛止板２の回動を規制することができる。前記掛止板の回動規制について、前記スプリングを使用しないものも含まれるが、この場合でも梯子の重量が凹部と横杆との嵌合力として作用するので、梯子の使用中において掛止板の回動を規制することができる。【選択図】  図２
2006112216.tif 000002
【特許請求の範囲】
【請求項１】
梯子を装着対象部位に対して着脱可能に装着するための掛止板を備え、当該掛止板は、前記装着対象部位の上方縁に掛止するとともに、水平回動可能な構造とする梯子において、
前記掛止板の水平回動を規制することによって、当該掛止板の掛止状態を保持する保持手段を備えていることを特徴とする梯子。
【請求項２】
前記保持手段が、前記掛止板の水平回動を規制することによって、当該掛止板の収納状態を保持する構成を含むことを特徴とする請求項１に記載の梯子。
【請求項３】
保持手段が、掛止板を梯子と係合させることによって、当該掛止板の水平回動を規制する構成のものであることを特徴とする請求項１または請求項２に記載の梯子。
【請求項４】
前記保持手段が、前記掛止板を梯子に対して上下スライド可能に配し、当該掛止板が上昇したときに梯子に係合するようにしている請求項３に記載の梯子。
【請求項５】
前記掛止板を上昇方向へ付勢していることを特徴とする請求項４に記載の梯子。
【発明の詳細な説明】
【技術分野】
【０００１】
本発明は、装着対象部位に対して着脱可能に装着される梯子に関する。
【背景技術】
【０００２】
本発明の梯子に関連する先行技術文献としては下記のものがある。（特許文献１参照）
この梯子は、装着対象部位であるマンホールの開口縁に掛止する掛止板（ストッパーアーム）を水平回動可能に備えてあり、マンホールに装着する際には、前記掛止板を回動させてマンホールの開口縁に引っ掛けて、マンホールの側壁に沿って吊り下げるように装着するものである。
【特許文献１】特公平３−１２８２０号
【発明の開示】
【発明が解決しようとする課題】
【０００３】
ところで、前記の梯子における掛止板は、その回動に対して規制する構成が無く、マンホールに装着した際に、梯子または掛止板に何らかの力が加わると掛止板が回動する可能性がある。
【０００４】
そこで、本発明は、装着対象部位に装着した状態での掛止板の回動を規制することを課題とし、この課題を解決する梯子の提供を目的とする。
【課題を解決するための手段】
【０００５】
前記目的を達成するために本発明が採用した技術的手段は、梯子を装着対象部位に対して着脱可能に装着するための掛止板を備え、当該掛止板は、前記装着対象部位の上方縁に掛止するとともに、水平回動可能な構造とする梯子において、前記掛止板の水平回動を規制することによって、当該掛止板の掛止状態を保持する保持手段を備えた梯子にしたことである。（請求項１）
【０００６】
また、前記掛止板の収納状態を確実に保持するとともに、当該収納状態と使用状態相互間の切り替えを迅速、かつ確実に行うという観点から、前記保持手段が、前記掛止板の水平回動を規制することによって、当該掛止板の収納状態を保持する構成を含むことが好ましい。（請求項２）
前記保持手段は、掛止板の掛止状態および／または収納状態を保持可能なものすべてを包含し、たとえば、保持手段を、掛止板を梯子と係合させることによって、当該掛止板の水平回動を規制する構成が挙げられる。（請求項３）
この場合、前記掛止板を梯子に対して上下スライド可能に配し、当該掛止板が上昇したときに梯子に係合するような構成が挙げられる。（請求項４）
また、この場合、前記掛止板を上昇方向へ付勢する構成が挙げられる。（請求項５）
【発明の効果】
【０００７】
本発明の梯子によれば、梯子が装着された状態において掛止板の水平回動を規制することができる。
また、請求項２の発明によれば、掛止板の収納状態を確実に保持するとともに、当該収納状態と使用状態相互間の切り替えを迅速、かつ確実に行うことができる。
また、請求項３および請求項４の発明によれば、掛止板の回動規制を迅速、かつ容易に行うことができる。
また、請求項５の発明によれば、掛止板の回動規制をより確実に行うことができる。
【発明を実施するための最良の形態】
【０００８】
次に、本発明を実施するための最良の形態を図１および図２に基づいて説明する。
なお、本形態では、装着対象部位をマンホールとして例示するが、本発明の梯子の装着対象部位は、マンホールに限定するものではない。
【０００９】
本形態の梯子１は、基本的には、上段梯子部１１と下段梯子部１２とを、上下方向に伸縮可能に連結し、前記上段梯子部１１に掛止板２を備えてなる公知の構成のものである。
掛止板２は、マンホールＭの開口縁Ｍ１に掛止される板状のものであり、その後端部に上段梯子部１１の縦杆１１Ａ，１１Ｂに嵌合する筒体２１を固着してなる。
筒体２１は、前記縦杆１１Ａ，１１Ｂの軸心を中心として回動可能、かつ上下スライド可能に嵌合され、さらにスプリングＳによって常時上昇方向へ付勢されている。
スプリングＳは、前記縦杆１１Ａ，１１Ｂに設けられた突片Ｓ１，Ｓ２と前記筒体２１の間に圧縮状に配設されている。
【００１０】
また、前記筒体２１と上段梯子部１１とに亘って、掛止板２の掛止状態を保持する保持手段３が設けられている。
保持手段３は、筒体２１の上端縁に形成された嵌合凹部３１と、当該嵌合凹部３１に嵌合される前記上段梯子部１１の横杆３２とから構成されている。
嵌合凹部３１は、前記横杆３２の径以上の深さとし、当該横杆３２に対してスムースにスライド可能な幅として、筒体２１の軸線方向に沿って、当該筒体２１の外周を切り欠くように形成されている。
【００１１】
前記嵌合凹部３１と横杆３２との嵌合動作を説明すると、掛止板２の位置が非掛止位置（横杆３２と平行）にあるときには、前記筒体２１の上端縁が横杆３２に接触状態にあって、筒体２１がスプリングＳの付勢力に抗して下降している。
前記の非掛止位置から掛止板２が筒体２１の回動により掛止位置（横杆３２と直交）に至ると、筒体２１の上端縁が横杆３２から離れるとともに、前記凹部３１が横杆３２と正対する。
そして、筒体２１が前記スプリングＳの付勢力によって上昇するとともに、凹部３１が横杆３２に嵌合することによって、掛止板２の掛止位置が保持される。
【００１２】
本形態の梯子１は、前記したように掛止板２を掛止位置に保持した状態で、マンホールＭ内に挿入するとともに、掛止板２をマンホールＭの開口縁Ｍ１に引っ掛けることによって、マンホールＭ内に装着される。
このとき、梯子１の重量とスプリングＳの付勢力とが凹部３１と横杆３２との嵌合力として作用するので、梯子１の使用中において掛止板２の回動を規制することができる。
本発明では、前記掛止板の回動規制について、前記スプリングを使用しないものも含まれるが、この場合でも梯子の重量が凹部と横杆との嵌合力として作用するので、梯子の使用中において掛止板の回動を規制することができる。
【００１３】
図３に示す梯子１は、前記構成に加えて、掛止板２の収納状態を確実に保持するとともに、当該収納状態と使用状態相互間の切り替えを迅速、かつ確実に行うために、前記掛止板２の水平回動を、収納状態と使用状態の両方で規制するようにしているものである。
本形態の梯子１の基本的な構成としては、前記で例示した形態の梯子と同様のものであるので、重複する部位についての説明は、図面に同符号を付すことにより省略する。
【００１４】
本形態の梯子１を詳述すると、筒体２１と上段梯子部１１とに亘って、掛止板２の掛止状態および収納状態を保持する保持手段３が設けられている。
本形態の保持手段３は、筒体２１の上端縁から下方に向けて形成された掛止用凹部３３と、当該掛止用凹部３３の上方に連設された収納用凹部３４と、これら両凹部に嵌合される上段梯子部１１の横杆３２とから構成されている。
前記掛止用凹部３３は、筒体２１の軸線方向に沿って、当該筒体２１の外周を切り欠き、下端縁を略半円状の円弧状部３３１として形成されている。
前記収納用凹部３４は、筒体２１の上端縁から、前記掛止用凹部３３の片側縁を長手方向に沿い、前記円弧状部３３１の基端部付近まで切り欠き、下端縁を水平状部３４１として形成されている。
前記収納用凹部３４の掛止用凹部３３に対する位置関係は、掛止板２が９０度の角度で回動規制される位置関係としており、すなわち、掛止板２が横杆３２に対して直交方向となる掛止状態から、横杆２に対して平行となる収納状態までの水平回動に規制される。
【００１５】
前記掛止用凹部３３および収納用凹部と横杆３２との嵌合動作を説明すると、掛止板２の位置が収納位置（前記で例示した形態における「非掛止位置」）にあるときには、前記収納用凹部３４がスプリングＳの上方への付勢力の作用によって横杆３２に嵌合し、掛止板２の収納状態が保持されている。
前記の収納位置から掛止板２が筒体２１の回動により掛止位置に至ると、掛止用凹部３３がスプリングＳの上方への付勢力の作用によって上昇して横杆３２に嵌合し、掛止板２の掛止状態が保持される。
また、掛止板２の掛止位置から収納位置への復帰動作は、掛止板２を収納方向へ回動すると、その回動力は、掛止用凹部３３の円弧状部３３１の横杆３２への接触によって、筒体２１を押し下げる方向へと作用し、当該方向の力によってスプリングＳの付勢力に抗して前記筒体２１が下降するとともに、収納用凹部３４の水平状部３４１に横杆３２が嵌合して掛止板２が収納位置に復帰する。
【００１６】
なお、本発明は、例示した構成に限定されるものではなく、特許請求の範囲の各項に記載された内容から逸脱しない範囲で実施することは任意である。
【図面の簡単な説明】
【００１７】
【図１】本発明に係る梯子の側面図(ａ)および正面図(ｂ)。
【図２】図１の要部斜視図。
【図３】本発明に係る梯子の他の形態を示す要部斜視図。
【符号の説明】
【００１８】
１：梯子
２：掛止板
３：保持手段
１１：上段梯子部
１２：下段梯子部
２１：筒体
１１Ａ：縦杆
１１Ａ：縦杆
３１：嵌合凹部
３２：横杆
３３：掛止用凹部
３４：収納用凹部
Ｍ：マンホール
Ｍ１：開口縁
Ｓ：スプリング
【図１】
2006112216.tif 000003
【図２】
2006112216.tif 000004
【図３】
2006112216.tif 000005